(57)【特許請求の範囲】
【請求項１】
上面に開孔が設けられ排水口に装着される蓋と、排水口内のヌメリを防除する薬剤を収納した状態で前記蓋の下部に着脱自在に装着され、上面に設けられた排水流入孔から排水を内部に導入し、流入した排水に内部の薬剤が溶解した溶解液を排水口内に流出させる溶解液流出孔が設けられた環状の薬剤収納器とからなるヌメリ取り器において、前記薬剤収納器の外周面及び内周面の少なくとも一方に凹部を設け、開孔と排水流入孔とが一致する状態で該凹部に係止する凸部を蓋に設け、更に前記薬剤収納容器の凹部によって薬剤収納容器の内部が複数箇所の収納部に仕切られ、内部での薬剤の周方向の移動を防止すると共に、前記凹部を挟んで隣接する両収納部を相互に連通させる連通路が形成されていることを特徴とするヌメリ取り器。
【請求項２】
前記薬剤収納容器の凹部が上方に開口するとともに、薬剤収納容器を上下反転して蓋に装着しようとすると蓋の凸部に干渉して装着を阻止する誤組防止部を凹部の下端に設けたことを特徴とする請求項１記載のヌメリ取り器。
【発明の詳細な説明】
【０００１】
【発明の属する技術分野】
本発明は、排水口に装着され、排水口内に発生するヌメリを防除するヌメリ取り器に関する。
【０００２】
【従来の技術】
排水口に装着される蓋の下部に、排水口内のヌメリを防除する薬剤を収納した環状の薬剤収納容器を嵌合自在に装着したヌメリ取り器としては、特許協力条約に基づいて公開された国際公開番号ＷＯ００／１２８２８号公報に記載されたものが知られている。前記蓋には上面に開孔が設けられており、また、下部に薬剤収納容器が装着された状態で薬剤収納容器の底面に係合し薬剤収納容器が蓋から脱落しないように支えるＬ字状の可撓性のある係止部が設けられている。前記薬剤収納容器には上面に排水流入孔が設けられており、また、該排水流入孔から排水を内部に導入し、流入した排水に内部の薬剤が溶解した溶解液を排水口内に流出させる溶解液流出孔が設けられている。なお、従来のヌメリ取り器の薬剤収納容器の内部は、仕切られることなく環状の１つの収納部から成っている。
【０００３】
【発明が解決しようとする課題】
前記蓋には、係止部が薬剤収納容器の底面を支えるように設けられているため、周方向の位相がずれて蓋の上面に設けられた開孔と薬剤収納容器の上面に設けられた排水流入孔とが一致しない状態や薬剤収納容器を上下反転させた状態であっても蓋に薬剤収納容器を装着させることができる。このように誤組した状態では、薬剤収納容器に設けられた排水流入孔が上方に露出し開口しないため、排水流入孔から排水を内部に導入することができない。従って、薬剤収納容器内部の薬剤を排水に溶解させ、その溶解液を排水口内に流出させることによって排水口内に発生するヌメリを防徐するという効果を十分に発揮できないという問題があった。
【０００４】
また、前記ヌメリ取り器では、薬剤収納容器内部の薬剤が排水に溶解して小さくなると、流入した排水の流れによって流され薬剤が薬剤収納容器内の一方に偏在する場合が生じる。すると、薬剤が存在しない部分に流入した排水には薬剤が溶解しないため、本来薬剤が溶解した溶解液を排水口内に流出させる溶解液流出孔からは排水がそのまま流出することになる。従って、排水口内におけるヌメリの防徐効果が均一にならないという問題があった。
【０００５】
そこで本発明は、上記の問題点に鑑み、蓋と薬剤収納容器の誤組を防止し、また、薬剤収納容器内の薬剤の偏在を防止することによって、排水口内に発生するヌメリを確実かつ均一に防徐することができるヌメリ取り器を提供することを課題とする。
【０００６】
【課題を解決するための手段】
上記課題を解決するために本発明は、上面に開孔が設けられ排水口に装着される蓋と、排水口内のヌメリを防除する薬剤を収納した状態で前記蓋の下部に着脱自在に装着され、上面に設けられた排水流入孔から排水を内部に導入し、流入した排水に内部の薬剤が溶解した溶解液を排水口内に流出させる溶解液流出孔が設けられた環状の薬剤収納器とからなるヌメリ取り器において、前記薬剤収納器の外周面及び内周面の少なくとも一方に凹部を設け、開孔と排水流入孔とが一致する状態で該凹部に係止する凸部を蓋に設け、更に前記薬剤収納容器の凹部によって薬剤収納容器の内部が複数箇所の収納部に仕切られ、内部での薬剤の周方向の移動を防止すると共に、前記凹部を挟んで隣接する両収納部を相互に連通させる連通路が形成されていることを特徴とする。
本発明によると、蓋に設けられた開孔と薬剤収納容器に設けられた排水流入孔とを一致させた状態でなければ凹部に凸部が係止されず、蓋に薬剤収納容器を装着させることができない。従って、蓋と薬剤収納容器とを装着させた状態で使用するときは、蓋に設けられた開孔と薬剤収納容器に設けられた排水流入孔とが一致するため、必ず排水流入孔から排水を流入させることができ、流入した排水に薬剤が溶解した溶解液を排水流出孔から流出させることができる。
【０００７】
また、前記薬剤収納容器の凹部によって、薬剤収納容器の内部を複数箇所の収納部に仕切れば、薬剤収納容器内部の薬剤が排水に溶解して小さくなっても、流入した排水の流れによって薬剤が移動することを凹部によって防止することができる。
【０００８】
ここで、前記凹部で薬剤収納容器の内部を完全に仕切ると、排水が流入した収納部内の薬剤と排水が流入しなかった収納部内の薬剤とでは薬剤の減少に差が生じる。その場合には、前記凹部を挟んで隣接する両収納部を相互に連通させる連通路を形成させれば、一部の収納部に流入した排水が、連通路を通じて各収納部に行き渡り、各収納部内の薬剤の減少を均一にすることができる。
【０００９】
さらに、薬剤収納容器を上下反転させた状態で蓋に装着しようとする不具合を解消するためには、前記薬剤収納容器の凹部が上方に開口するとともに、薬剤収納容器を上下反転して蓋に装着しようとすると蓋の凸部に干渉して装着を阻止する誤組防止部を凹部の下端に設けるとよい。
【００１０】
【発明の実施の形態】
図１を参照して、本発明のヌメリ取り器１は、流し台シンクの排水口２の蓋として、排水口２に設置される。排水口２内には、ゴミ取りカゴ２ａが排水口２の開口部分に設置されている。ヌメリ取り器１は、図２に示すように、蓋３と蓋３の下部に嵌合自在に装着できる環状の薬剤収納容器４とからなる。薬剤収納容器４は例えばポリプロピレンにより形成されている。薬剤収納容器４には、上面に等間隔を存した６カ所に排水流入孔４ａが設けられている。排水流入孔４ａは、６個のスリット状の細孔４ａ’を等間隔で並設して構成されている。薬剤収納容器４の少なくとも外周面下部に６個の溶解液流出孔４ｂが等間隔を存して開設され、内周面上部にも同様に溶解液流出孔４ｃが開設されている。図示のように溶解液流出孔として、そのほか必要に応じ外周面上部に開設してもよい。蓋３は、オレフィン系エラストーマーからできている。蓋３には、上面に方形の開孔３ａ及び開孔３ｂが設けられている。開孔３ａは、薬剤収納容器４を蓋３に正しく装着した場合に、排水流入孔４ａが露出する程度の大きさであり、開孔３ｂは溶解液流出孔４ｃが露出する程度の大きさである。また、開孔３ａは、薬剤収納容器４を蓋３に正しく装着した場合に、排水流入孔４ａが露出する位置に設けられており、開孔３ｂは溶解液流出孔４ｂが露出する位置に設けられている。蓋３には、中央部にゴミ流入口３ｃ及び該ゴミ流入口３ｃから放射状に広がるスリット３ｄが設けられている。開孔３ａに臨む排水流入孔４ａから導入された排水に、薬剤収納容器４の内部に収納された薬剤が溶解し、その薬剤溶解液が溶解液流出孔４ｂ及び溶解流出孔４ｃから流出する。開孔３ｂに臨む溶解液流出孔４ｃから流出した薬剤溶解液は、ゴミ流入口３ｃ及びスリット３ｄからゴミ取りカゴ２ａの底面に流下する。一方、開孔４ｂから流出した薬剤溶解液はゴミ取りカゴ２ａの壁面を伝って流下し、下端に達したとき底面に拡散する。これにより、ゴミ取りカゴ２ａ内及び排水口内に発生するヌメリを防徐することができる。
【００１１】
薬剤収納容器４には、外周面の均等な３カ所に凹部４１が形成されている。図３に示すように、蓋３には、排水流入孔４ａと開孔３ａとが一致する状態で装着する際凹部４１に係合する凸部３１が設けられている。凹部４１は上方に開口しているが下端には誤組防止部４１ａが設けられている。そのため、薬剤収納容器４を上下反転して蓋に装着しようとすると蓋３の凸部３１に誤組防止部４１ａが干渉して装着を阻止する。
【００１２】
図４を参照して、薬剤収納容器４の内部は、凹部４１によって３つの収納部４２に仕切られている。凹部４１はこのように薬剤収納容器４の内部を３カ所に仕切っているものの、完全に仕切らず隣接する２つの収納部４２を相互に連通する連通路４３が形成されている。該連通路４３は薬剤５を通さないが流入された排水は自由に通過させる。そのため、流入した排水によって薬剤５が流されようとしても薬剤５は隣の収納部４２に移動することはないが、排水は各収納部４２に均等に行き渡る。このため、各収納部４２内の薬剤５は均一に溶解し、また、各収納部４２からは薬剤５の溶解した溶液が流出することになる。
【００１３】
ところで上記実施の形態では、薬剤収納容器４の外周面に凹部４１を形成したが、内周面に凹部を形成してもよい。尚その際には、蓋３の凸部は凹部に係合し得るように適宜位置を変更する。
【００１４】
【発明の効果】
以上の説明から明らかなように、本発明は、蓋の開口と薬剤収納容器の排水流入孔とが一致するように凸部と凹部とを形成したので、周方向の位相ずれを防止し、薬剤収納容器の排水流入孔から排水を確実に流入させることができる。
【００１５】
また、凹部によって薬剤の移動を防止し、また排水の移動を自由にしたのでヌメリを均一に防除できる。
【００１６】
更に、凹部に形成した誤組防止部により薬剤収納容器を上下反転させて誤組することを防止できる。
【図面の簡単な説明】
【図１】本発明の一実施の形態の構成を示す図
【図２】蓋と薬剤収納容器とを示す分解図
【図３】蓋の薬剤収納容器の分離状態を上下反転して示す図
【図４】薬剤収納容器の内部構造を示す平面図
【符号の説明】
１  ヌメリ取り器
３  蓋
４  薬剤収納容器
３ａ  開口
４ａ  排水流入孔
４ｂ  溶解液流出孔
３１  凸部
４１  凹部
４１ａ  誤組防止部
【図１】
0004523132.tif 000002
【図２】
0004523132.tif 000003
【図３】
0004523132.tif 000004
【図４】
0004523132.tif 000005